(57)【特許請求の範囲】
【請求項１】
吸収性物品と、吸収性物品を包装するパッケージ袋とによって構成されている吸収性物品のパッケージであって、
パッケージ表面には、
前記吸収性物品の機能を表示する機能表示領域と、
前記吸収性物品の着用者を表す着用者画像と前記着用者の補助者を表す補助者画像とを含む人物表示領域と、
前記吸収性物品の商品名を表す名称領域と
が設けられており、
前記着用者画像の解像度は、前記補助者画像の解像度よりも高く、
前記パッケージは、前記吸収性物品を複数束ねた吸収性物品列を、パッケージの上下方向に３段以上に積み重ねた状態で包装され、
前記着用者画像は、上段の吸収性物品列と前記上段に対して下方に隣接する中段の吸収性物品列との境界部である第１境界部と、前記中段の吸収性物品列と前記中段に対して下方に隣接する下段の吸収性物品列との境界部である第２境界部との間に前記着用者の顔を示す顔画像が位置するように、前記第１境界部よりも下方の領域に配置され、
前記補助者画像は、前記補助者の顔を示す顔画像の少なくとも一部が前記第１境界部よりも上方の領域に位置するように配置され、
前記名称領域は、前記第１境界部よりも上方の領域において、前記補助者の顔画像と重なるように設けられ、前記着用者の顔画像と重ならないように設けられており、
前記補助者の前記顔画像は、前記名称領域が前記補助者の顔画像と重なることによって、分断されるようになっている
ことを特徴とする吸収性物品のパッケージ。
【請求項２】
前記パッケージは、複数段に積み重ねた前記吸収性物品列を包装することによって、六面体に形成されており、
前記パッケージ表面は、側面と、前記側面に隣接する他の側面と、前記側面に隣接し、かつ把手部を有する頂部と、を含み、
前記補助者画像は、前記側面と、前記頂面とにわたって設けられている
ことを特徴とする請求項１に記載の吸収性物品のパッケージ。
【請求項３】
前記着用者画像は、前記パッケージの上下方向の中央を含む位置に配置されている
ことを特徴とする請求項１又は２に記載の吸収性物品のパッケージ。
【請求項４】
前記機能表示領域の下端は、前記パッケージの上下方向において、前記人物表示領域の下端よりも下側に配置されている
ことを特徴とする請求項１乃至３のいずれか一項に記載の吸収性物品のパッケージ。
【請求項５】
前記側面には、前記吸収性物品を取り出す取り出し部を形成する切り込みが、前記パッケージの上下方向に沿って形成されており、
前記切り込みは、前記パッケージの左右方向における中央よりも一方側に形成されており、
前記着用者の顔画像は、前記パッケージの左右方向における中央よりも他方側に設けられており、
前記補助者の顔画像は、前記パッケージの左右方向における中央よりも一方側に設けられている
ことを特徴とする請求項１乃至４のいずれか一項に記載の吸収性物品のパッケージ。
【請求項６】
前記機能表示領域は、前記パッケージの左右方向における中央よりも他方側に設けられている
ことを特徴とする請求項５に記載の吸収性物品のパッケージ。
【請求項７】
前記着用者の顔画像における前記着用者の視線方向に沿った直線と、前記パッケージ表面に垂直な法線とのなす角度は、３０度以下の範囲内であり、
前記視線方向に沿った直線は、前記着用者の眼球の中心座標と黒目画像の中心座標とを通る直線として定められる
ことを特徴とする請求項１乃至６のいずれか一項に記載の吸収性物品のパッケージ。
【請求項８】
前記着用者の顔画像における前記着用者の顔方向に沿った直線と、前記顔画像における前記着用者の視線方向に沿った直線とは、前記パッケージ表面に対する法線に対し、互いに逆方向に傾斜する
ことを特徴とする請求項７に記載の吸収性物品のパッケージ。
【発明の詳細な説明】
【技術分野】
【０００１】
本発明は、吸収性物品を包装する吸収性物品のパッケージに関する。
【背景技術】
【０００２】
一般に、子供用使い捨ておむつ等の吸収性物品を包装するパッケージにおいては、パッケージ表面に、商品（物品）名、吸収性物品（おむつ）の機能のほかに、着用者を表示することによって、吸収性物品が対象としている着用者の成長段階を表したものが知られている（例えば、特許文献１参照）。
【０００３】
かかるパッケージでは、その表面に着用者を表示することによって、吸収性物品が対象としている着用者の成長段階（例えば、新生児）を識別することが可能であるため、需要者（例えば、母親）に対して、求めているおむつを的確に識別させるという効果も見込まれている。
【０００４】
また、パッケージ表面に、着用者のほかに、着用者を補助する補助者（例えば、母親）を表示することによって、着世者と補助者とによる特定の状態を示したものも提案されている（例えば、非特許文献１参照）。
【０００５】
図８には、非特許文献１に示される公知の子供用使い捨ておむつのパッケージの一例が示されている。このパッケージでは、パッケージ表面５１０に、商品名５２０と、おむつの各機能５３１乃至５３３と、当該おむつを着用する着用者５４１と、着用者の補助者５４２とが、それぞれ画像として表示されている。
【０００６】
このようなパッケージでは、その表面に着用者と補助者とによる特定の状態（例えば、補助者が着用者を抱いている状態）を表示させることによって、需要者（例えば、母親）に特定のイメージ（例えば、優しいイメージ）を連想させて、購買意欲を向上させるという効果も見込まれている。
【先行技術文献】
【特許文献】
【０００７】
【特許文献１】特表２００５−５０１９７５号公報
【非特許文献】
【０００８】
【非特許文献１】図８に示す公知のパッケージ
【発明の概要】
【発明が解決しようとする課題】
【０００９】
しかしながら、パッケージ表面を参照した需要者に対して、特定のイメージを連想させるために着用者と補助者とを表示すると、パッケージ表面を参照した需要者が、着用者よりも補助者を意識してしまう場合がある。
【００１０】
このようなパッケージでは、需要者に特定のイメージを連想させられるものの、吸収性物品がどのような成長段階の着用者を対象としたものであるかという主要な点について直感的に認識しにくくなり、その結果、購入すべきおむつを誤って認識してしまう可能性もある。
【００１１】
そこで、本発明は、着用者と補助者とを表示しつつ、吸収性物品が対象としている着用者を直感的に認識させることが可能な吸収性物品のパッケージを提供することを目的とする。
【課題を解決するための手段】
【００１２】
本発明の特徴は、吸収性物品（吸収性物品１）と、吸収性物品を包装するパッケージ袋とによって構成されているパッケージ（パッケージ５）であって、パッケージ表面（パッケージ表面１０）には、前記吸収性物品の機能を表示する機能表示領域（機能表示領域３０）と、前記吸収性物品の着用者を表す着用者画像（着用者画像４１）と前記着用者の補助者を表す補助者画像（補助者画像４２）とを含む人物表示領域（人物表示領域４０）と、前記吸収性物品の商品名を表す名称領域（名称領域５０）とが設けられており、前記着用者画像の解像度は、前記補助者画像の解像度よりも高く、前記パッケージは、前記吸収性物品を複数束ねた吸収性物品列を、パッケージの上下方向に３段以上に積み重ねた状態で包装され、前記着用者画像は、上段の吸収性物品列と前記上段に対して下方に隣接する中段の吸収性物品列との境界部である第１境界部と、前記中段の吸収性物品列と前記中段に対して下方に隣接する下段の吸収性物品列との境界部である第２境界部との間に前記着用者の顔を示す顔画像が位置するように、前記第１境界部よりも下方の領域に配置され、前記補助者画像は、前記補助者の顔を示す顔画像の少なくとも一部が前記第１境界部よりも上方の領域に位置するように配置され、前記名称領域は、前記第１境界部よりも上方の領域において、前記補助者の顔画像と重なるように設けられていることを要旨とするものである。
【発明の効果】
【００１３】
着用者と補助者とを表示しつつ、吸収性物品が対象としている着用者を直感的に認識させることが可能な吸収性物品のパッケージを提供する。
【図面の簡単な説明】
【００１４】
【図１】図１は、本発明の実施形態における吸収性物品のパッケージの一例を示す斜視図である。
【図２】図２は、本発明の実施形態における吸収性物品のパッケージに取り出し部を形成した際の一例を示す斜視図である。
【図３】図３は、本発明の実施形態におけるパッケージ表面の平面図である。
【図４】図４は、パッケージ表面における着用者の顔画像の一部拡大図である。
【図５】図５（ａ）は、正面視した目画像の一例を示す拡大平面図である。図５（ｂ）は、目画像に基づく眼球モデルの一例を示す左右方向に沿った拡大断面図である。図５（ｃ）は、目画像に基づく眼球モデルの一例を示す上下方向に沿った拡大側面図である。
【図６】図６は、顔画像における視線方向に沿った直線ＥＬと、パッケージ表面に垂直な法線ＮＬとのなす角度を説明するための図である。
【図７】図７は、本発明の他の実施形態におけるパッケージ表面の平面図である。
【図８】図８は、従来技術に係るパッケージ表面の平面図である。
【発明を実施するための形態】
【００１５】
次に、本発明に係る実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００１６】
［第１実施形態］
（パッケージの概要）
本発明の第１実施形態について説明する。図１は、本実施形態に係る吸収性物品１のパッケージ５を示す斜視図である。図２は、パッケージ５に吸収性物品１を取り出す取り出し部２５を形成した際の斜視図である。本実施形態では、吸収性物品１として、使い捨ておむつを想定している。
【００１７】
図１乃至２に示すように、パッケージ５は、吸収性物品１と吸収性物品１を包装するパッケージ袋とによって構成されている。なお、パッケージ袋は、ポリエチレンフィルムを素材として構成されている。具体的に、パッケージ５は、複数束ねた吸収性物品列２と、複数束ねた吸収性物品列２を、パッケージ５の上下方向に複数段に積み重ねた状態で包装するパッケージ袋とで構成されている。本実施形態に係るパッケージ５では、複数の吸収性物品１を折りたたんだ状態で束ねた吸収性物品列２が、パッケージ５の上下方向において、三段に重ねられた状態で包装されている。なお、吸収性物品列２を重ねる段数は、三段に限定されるものではない。
【００１８】
ここで、本実施形態において、パッケージ５の上下方向は、図１乃至２に示すＺ軸方向を示す。上方向は、Ｚ軸方向のプラス（＋）方向を示し、下方向は、Ｚ軸方向のマイナス（−）方向を示す。また、パッケージ５の左右方向は、図１乃至２に示すＸ軸方向を示す。右方向は、Ｘ軸方向のプラス（＋）方向を示し、左方向は、Ｘ軸方向のマイナス（−）方向を示す。パッケージ５の前後方向は、図１乃至２に示すＹ軸方向を示す。前方向は、Ｙ軸方向のプラス（＋）方向を示し、後方向は、Ｙ軸方向のマイナス（−）方向を示す。
【００１９】
パッケージ５は、このように折りたたんだ状態で束ねられた吸収性物品１を包装することによって、六面体に形成されている。パッケージ５は、第１側面１１と、第２側面１２と、第３側面１３と、第４側面１４と、頂面１５と、底面１６とを有する。第１側面１１と第３側面１３とは、互いに対向している。第２側面１２と第４側面１４とは、互いに対向している。頂面１５と底面１６とは、互いに対向している。頂面１５には、把手部１７が設けられている。頂面１５は、把手部１７を境として分けられる第１頂面１５ａと第２頂面１５ｂとによって構成されている。
【００２０】
本実施形態では、第１側面１１と第２側面１２とによって、角部Ａが形成されている。
【００２１】
また、第１側面１１には、吸収性物品１を取り出す取り出し部２５を形成する切り込み２０が、パッケージ５の上下方向に沿って形成されている。具体的に、切り込み２０は、角部Ａから所定間隔を設けて、第１側面１１と第２側面１２とに形成されている。切り込み２０は、上下方向に沿って、一定間隔毎に複数形成されている。
【００２２】
また、吸収性物品１の需要者は、切り込み２０の上方向の端部を指先でパッケージ５の内側に向かって押すことによって、パッケージ５の一部を破ることができる。また、図２に示すように、需要者が、破かれた一部を切り込み２０に沿って、下方向に向かって引き下げることによって、吸収性物品１の取り出し部２５が形成される。このように、取り出し部２５は、角部Ａにおいて、上方向の端部から下方向に向かって広げることができる。
【００２３】
（パッケージ表面の構成）
本実施形態に係るパッケージ５は、パッケージ表面１０を有する。ここで、本実施形態では、パッケージ表面１０は、第１側面１１である場合を例に挙げて説明する。以下に、図３を参照して、パッケージ表面１０の構成について具体的に説明する。図３には、本実施形態に係るパッケージ表面１０を構成する第１側面１１の平面図が示されている。
【００２４】
また、パッケージ表面１０には、吸収性物品１の機能を表示する機能表示領域３０と、人物表示領域４０と、が設けられている。ここで、吸収性物品１の機能とは、パッケージ５に包装される吸収性物品１の特徴的機能、又は、対象とする着用者などを示す情報であり、本実施形態では、文字及び／又は図形によって表されている。
【００２５】
機能表示領域３０は、これらの文字及び／又は図を表す領域である。具体的に、本実施形態では、機能表示領域３０として、「新生児９０枚」と「お誕生〜５ｋｇ」とを表示する文字表示領域３１と、「瞬間吸収でおしりサラサラ」とを表示する文字表示領域３２と、「瞬間吸収」を象徴する図形を表示する図形表示領域３３と、「通気性」を象徴する図形を表示する図形表示領域３４と、「新生児」を象徴する横臥するキャラクター図形を表示する図形表示領域３５とを含む。なお、機能表示領域３０として示される文字及び／又は図は、上記に限定されず、他にも、様々なものを表示可能である。
【００２６】
人物表示領域４０は、吸収性物品１の着用者を表す着用者画像４１と着用者の補助者を表す補助者画像４２とを含む領域である。本実施形態において、パッケージ５に包装される吸収性物品１が対象とする着用者は、生後一定月齢内の新生児を想定している。すなわち、着用者画像４１として、生後一定月齢内の新生児の写真画像が示されている。
【００２７】
また、本実施形態において、補助者は、新生児の補助者として、母親を想定している。すなわち、補助者画像４２として、母親の写真画像が示されている。なお、補助者画像４２は、母親を連想させる画像であれば、どのような写真画像であってもよい。
【００２８】
本実施形態に係る人物表示領域４０には、着用者画像４１と補助者画像４２とによる特定の状態（例えば、補助者が着用者を抱いている状態）が表示されている。このような画像を表示することによって、吸収性物品１を求める需要者が、パッケージ５を視認した際に、特定のイメージ（例えば、優しいイメージ）を連想して、購買意欲を向上することを見込んでいる。
【００２９】
また、本実施形態では、着用者画像４１の画像品質は、補助者画像４２の画像品質よりも高い。ここで、本実施形態において、画像品質とは、画像の鮮明度合いである。本実施形態では、補助者画像４２にモザイク処理（ぼかし処理）が施されており、補助者画像４２がぼやかして表示している。すなわち、補助者画像４２をぼやかして表示することで、補助者画像４２の画像品質を低くしている。なお、画像品質は、解像度とも言い換えることができる。解像度である場合には、解像度が高いほど画像品質が高いといえる。
【００３０】
また、着用者画像４１の画像品質を補助者画像４２の画像品質よりも高める方法としては、着用者画像４１をカラー表示し、補助者画像４２をモノクロ表示するなど、他にも、画像の鮮明度合いを調整する様々な手法があることに留意すべきである。
【００３１】
また、着用者画像４１は、パッケージ５の上下方向の中央を含む位置に配置されている。ここで、パッケージ５の上下方向の中央を含む位置とは、パッケージ５の上下方向の高さＨの中心線ＨＣＬを含む位置を示す。このように、着用者画像４１が、パッケージ５の上下方向の中心線ＨＣＬの一部を含む位置に表示されることによって、吸収性物品１を求める需要者は、パッケージ５を視認した際に、着用者画像４１を直感的に認識しやすくなる。
【００３２】
また、パッケージ表面１０には、吸収性物品１の商品名を表す名称領域５０が更に設けられている。名称領域５０の少なくとも一部は、補助者画像４２に重複する。
【００３３】
本実施形態に係る名称領域５０には、商品名として「○○○○○」が文字によって示されている。なお、商品名の下側には、サブブランド名が文字によって示されている。
名称領域５０の一部が、着用者画像４１の一部と同じ位置に重ねて表示されることによって、補助者画像４２が分断するように表示されている。このように名称領域５０と補助者画像４２とを表示することによって、吸収性物品１を求める需要者は、パッケージ５を視聴した際に、補助者画像４２よりも、着用者画像４１を視認しやすくなる。
【００３４】
着用者画像４１には、着用者の顔画像４１ａが含まれている。具体的に、着用者画像４１には、顔画像４１ａと胴体画像４１ｂとが含まれている。ここで、着用者の顔画像４１ａは、パッケージ５に包装されている吸収性物品１が対象としている着用者をより明確に表す情報である。すなわち、需要者が、吸収性物品１の対象となる着用者の成長度合いをより的確に認識できる情報といえる。
【００３５】
本実施形態では、顔画像４１ａの画像品質が下げることなく表示されているとともに、顔画像４１ａに対して、機能表示領域３０が重複しないように配置されている。
【００３６】
また、切り込み２０は、第１側面１１の左右方向における中央よりも一方側に形成されており、顔画像４１ａは、第１側面１１の左右方向における中央よりも他方側に設けられている。
【００３７】
ここで、本実施形態において、第１側面１１の左右方向における中央とは、第１側面１１の左右方向の幅Ｗの中心線ＷＣＬを示す。
【００３８】
具体的に、本実施形態では、切り込み２０が、第１側面１１の中心線ＷＣＬよりも右側に形成されており、顔画像４１ａは、第１側面１１の中心線ＷＣＬよりも左側に形成されている。
【００３９】
このように顔画像４１ａを配置することによって、切り込み２０を切断して取り出し部２５が形成されても、顔画像４１ａは、分断されることなく、元の状態を維持したまま表示することが可能になる。
【００４０】
また、本実施形態では、機能表示領域３０も、パッケージ５の左右方向における中央よりも他方側に設けられている。このように機能表示領域３０を配置することによって、切り込み２０を切断して取り出し部２５が形成されても、機能表示領域３０は、分断されることなく、元の状態を維持したまま表示することが可能になる。
【００４１】
機能表示領域３０の下端Ｐ３０は、パッケージ５の上下方向において、人物表示領域４０の下端Ｐ４０よりも下側に形成されている。
【００４２】
ここで、取り出し部２５は、角部Ａにおいて、上方向の端部から下方向に向かって形成される。よって、需要者が、パッケージ５の取り出し部２５から吸収性物品１を取り出す場合、上段部分に位置する吸収性物品１から取り出されていく。つまり、吸収性物品１がパッケージ５から取り出されるに従って、パッケージ５は、上方向から順に押し潰れるように変形していく。
【００４３】
本実施形態では、機能表示領域３０の下端Ｐ３０は、人物表示領域４０の下端Ｐ４０よりも下側に形成されているので、吸収性物品１が取り出されて、パッケージ５の形状が押し潰れても、機能表示領域３０が変形しにくくなる。つまり、需要者は、吸収性物品１を利用する際に、より長期にわたって、吸収性物品１の機能表示領域３０を視認することが可能になる。
【００４４】
また、パッケージ５では、パッケージ５の上下方向に３段に積み重ねられた状態の吸収性物品列２を包装されている。また、図３に示すように、パッケージ５では、一の吸収性物品列２（例えば、２段目）と他の吸収性物品列２（例えば、１段目又は２段目）との境界部ＢＬ１乃至ＢＬ２が、パッケージ５の上下方向において、着用者画像４１の顔画像４１ａよりも上側及び下側に位置する。すなわち、パッケージ５では、着用者画像４１の顔画像４１ａが、パッケージ５の上下方向において、２段目の吸収性物品列２の範囲内に配置されている。
【００４５】
また、本実施形態では、着用者の顔画像４１ａは、着用者の顔が笑った笑顔状態を表す画像である。なお、笑顔状態を判定する方法は、様々な方法を用いることが可能である。一例としては、笑顔状態の場合に最も特徴が現れる顔画像４１ａ内の口画像及び目画像などの特徴点座標を抽出して、笑顔状態であるか否か判定する方法がある。
【００４６】
ここで、図４を参照して、判定方法の一例を説明する。図４には、着用者の顔画像４１ａの一部拡大図が示されている。図４に示すように、口画像の輪郭部分の特徴点座標Ｆ１乃至Ｆ４と、鼻画像の頂点となる特徴点座標Ｆ５と、目画像の特徴点座標Ｆ６乃至Ｆ９を抽出する。これらの特徴点座標Ｆ１乃至Ｆ９と無表情状態の特徴点座標とを比較して、笑顔状態であるか否かを判定すればよい。例えば、笑顔状態の場合には、目尻の特徴点座標Ｆ６、Ｆ９に所定変化が検出されるので、検出された変化量に基づいて、笑顔状態であるか否かを判定すればよい。なお、上述した以外にも、様々な画像処理方法を用いて、笑顔状態を判定してもよいことは無論である。
【００４７】
また、本実施形態では、顔画像４１ａにおける着用者の視線方向に沿った直線と、パッケージ表面１０に垂直な法線とのなす角度θは、３０度以下の範囲内である。なお、顔画像４１ａにおける着用者の視線方向を特定する方法は、様々な方法を用いることが可能である。一例としては、目画像に含まれる黒目画像Ｅの位置に基づいて、顔画像４１ａにおける着用者の視線方向を特定する方法がある。
【００４８】
図５（ａ）乃至（ｃ）を参照して、視線方向を算出する方法の一例を説明する。図５（ａ）には、正面視した目画像の拡大平面図の一例が示されており、図５（ｂ）乃至（ｃ）には、目画像に基づく眼球モデルの左右方向に沿った拡大断面図の一例が示されており、図５（ｃ）には、目画像に基づく眼球モデルの上下方向に沿った拡大側面図の一例が示されている。具体的に、図５（ａ）に示すように、顔画像４１ａ内の目画像から、黒目画像Ｅの中心座標Ｅｐ１を抽出するとともに、正面視時の黒目画像Ｅの中心座標Ｅｐ２を推定する。なお、正面視時の黒目画像Ｅの中心座標Ｅｐ２を推定する方法としては、例えば、白目画像と黒目画像とを含む眼球画像の両端部の中心を中心座標Ｅｐ２として推定する方法が挙げられる。
【００４９】
続いて、黒目画像Ｅの中心座標Ｅｐ１と、正面視時の黒目画像Ｅの中心座標Ｅｐ２と、眼球半径Ｅｒとに基づいて、着用者の眼球の中心座標Ｅｃを推定する。なお、眼球半径Ｅｒは、成人であれば、１２ｍｍ程度で概ね一定あり、出生時は８mm程度とされていので、着用者の年齢に応じて、適宜選定すればよい。
【００５０】
このようにして、眼球の中心座標Ｅｃと黒目画像Ｅの中心座標Ｅｐ１とを通る直線ＥＬを、視線方向の直線ＥＬとして算出することができる。
【００５１】
ここで、図５（ｂ）の例に示す視線方向の直線ＥＬは、着用者の顔の左右方向に沿った左右角度成分を示しているが、視線方向の直線ＥＬは、図５（ｃ）に示すように、着用者の顔の上下方向に沿った上下角度成分も有している。つまり、視線方向の直線ＥＬは、三次元座標上における角度成分を有していることに留意すべきである。
【００５２】
なお、上述した視線方向の直線ＥＬを算出する方法はあくまで一例である。例えば、黒目画像Ｅの輪郭上の座標を更に用いて、視線方向の直線ＥＬを算出してもよい。また、例えば、左右両方の視線方向の直線を算出するとともに、両方の視線方向の平均値を視線方向の直線ＥＬとして算出してもよい。また、上述した以外にも、様々な画像処理方法を用いて、視線方向の直線ＥＬを算出してもよいことは無論である。
【００５３】
また、図６に示すように、パッケージ表面１０を平面とした場合、視線方向の直線ＥＬと、パッケージ表面１０に垂直な法線ＮＬとのなす角度θは、３０度以下の範囲内である。なお、角度θは、三次元座標上での角度であることに留意すべきである。例えば、左右方向（ＸＹ平面）だけでなく、上下方向（ＸＺ平面）における角度も、３０度以下の範囲内であることが好ましい。かかる角度θは、小さいほど好ましく、５度以下の範囲内であることがより好ましい。
【００５４】
また、本実施形態では、顔画像４１ａにおける着用者の顔方向と、顔画像４１ａにおける着用者の視線方向とは、対象関係を有することが好ましい。かかる対称関係について、例を挙げて説明する。例えば、着用者の顔方向が、着用者の左右方向における右方向を向いていた場合には、着用者の視線方向は、着用者の左右方向の左方向を向いていることが好ましい。また、着用者の顔方向が、着用者の上下方向における下方向を向いていた場合には、着用者の視線方向は、着用者の上下方向の上方向を向いていることが好ましい。なお、上下方向と左右方向とを組み合わせた方向であってもよく、例えば、着用者の顔方向が、着用者の右上方向を向いていた場合には、着用者の視線方向は、着用者の左下方向を向いていることが好ましい。
【００５５】
なお、顔画像４１ａにおける着用者の顔方向を特定する方法は、様々な方法を用いることが可能である。一例としては、図４に示すように、特徴点座標に基づいて、顔画像４１ａにおける着用者の顔方向を特定する方法がある。
【００５６】
具体的に、図４に示すように、鼻画像の頂点となる特徴点座標Ｆ５と、目画像の特徴点座標Ｆ７及びＦ８を抽出する。このとき、抽出される特徴点座標は、顔の状態に応じて、変化が少ない部分の座標であることが好ましい。また、これらの特徴点座標Ｆ５、Ｆ７、Ｆ８によって特定される平面に垂直な法線が、顔方向に沿った直線となる。
【００５７】
また、本実施形態では、上述の方法で特定された直線に基づいた場合、パッケージ平面１０方向に垂直な法線に対して、着用者の顔方向に沿った直線の傾斜方向と、着用者の正面方向に垂直な法線に対して、視線方向に沿った直線の傾斜方向とが、逆方向に傾斜することが好ましい。
【００５８】
（作用及び効果）
本実施形態に係る吸収性物品１のパッケージ５は、パッケージ表面１０を構成する第１側面１１を有する。このパッケージ表面１０には、吸収性物品１の機能を表示する機能表示領域３０と、着用者を表す着用者画像４１と、補助者を表す補助者画像４２とを含む人物表示領域４０と、が設けられている。よって、需要者（例えば、母親）は、機能表示領域３０に表示される機能によって、吸収性物品１の機能を認識できる。更に、パッケージ表面１０には、着用者画像４１と補助者画像４２とによって、特定の状態（例えば、補助者が着用者を抱いている状態）を表示させることも可能であるため、需要者に特定のイメージ（例えば、優しいイメージ）を連想させて、購買意欲を向上させることも可能になる。
【００５９】
また、パッケージ表面１０において、着用者画像４１の画像品質は、補助者画像４２の画像品質よりも高いため、パッケージ表面１０を視認した需要者は、補助者画像４２よりも着用者画像４１を視認し易くなる。よって、需要者は、着用者画像４１を視認することによって、吸収性物品１の対象がどのような成長段階の着用者であるかという主要な点について、直感的に認識することが可能になる。すなわち、需要者は、吸収性物品１の対象としている着用者がどのような成長段階の着用者であるかを直感的に認識し易くなるので、購入すべきおむつを誤って認識することも防止できる。
【００６０】
このように、吸収性物品１のパッケージ５によれば、着用者と補助者とを表示することによって、購買意欲を向上させつつ、需要者（例えば、母親）に対して、吸収性物品１が対象としている成長段階の着用者を直感的に認識させることができる。
【００６１】
ここで、一般的なパッケージでは、複数の吸収性物品を束ねた吸収性物品列２を複数段に積み重ねた状態で包装されている。また、パッケージは、複数段に積み重ねられた状態の吸収性物品列を包装することで、一定の内圧が保たれており、パッケージ表面１０が、変形しにくくなっている。
【００６２】
しかし、一の吸収性物品列２と他の吸収性物品列２との境界部ＢＬ１乃至ＢＬ２は、他の部分に比べて、パッケージ５の内圧が低くなる。従来は、かかる境界部ＢＬ１乃至ＢＬ２が、上下方向における着用者画像４１の顔画像４１ａ内の位置になる場合があり、このような場合、着用者画像４１の顔画像４１ａが変形して、着用者画像４１の顔画像４１ａが視認しにくくなる。つまり、従来技術に係るパッケージでは、吸収性物品１がどのような成長段階の着用者を対象としたものであるかという主要な点について直感的に認識しにくくなる場合があり、その結果、需要者は、購入すべきおむつを誤って認識してしまう可能性もあった。
【００６３】
本実施形態に係るパッケージ５は、パッケージ５の上下方向に３段に積み重ねられた状態の吸収性物品列２を包装する。また、パッケージ５では、パッケージ５の上下方向において、吸収性物品列２の境界部ＢＬ１が、着用者画像４１の顔画像４１ａよりも上側に位置し、境界部ＢＬ１が、着用者画像４１の顔画像４１ａよりも下側に位置する。このように配置することによって、着用者画像４１の顔画像４１ａが、パッケージ表面１０の全面の内、内圧の低い吸収性物品列２の境界部ＢＬ１乃至ＢＬ２に配置されることを防止できる。すなわち、かかるパッケージ５によれば、吸収性物品列２の境界部ＢＬ１乃至ＢＬ２の変形によって、パッケージ表面１０の一部が変形しても、着用者画像４１の顔画像４１ａが変形してしまうことを防止できる。
【００６４】
このように、かかるパッケージ５によれば、需要者（例えば、母親）に対して、吸収性物品１が対象としている着用者をより一層直感的に認識させることができる。
【００６５】
また、一般的に、吸収性物品１は、着用者の成長度合いに合わせて、複数種類のサイズ（例えば、Ｓサイズ、Ｍサイズ、Ｌサイズ）のものがある。パッケージ５では、着用者の成長度合いに合わせて、吸収性物品１の対象とする着用者が識別できるように、人物表示領域４０に表示される画像を変更することが好ましい。
【００６６】
例えば、吸収性物品１が対象とする着用者が新生児の場合、着用者の新生児は、首周りの筋肉が発達していない（いわゆる、首が座っていない）。このような場合、着用者画像４１は、着用者が抱かれている状態の画像とすることが好ましい。
【００６７】
また、吸収性物品１が対象とする着用者が新生児よりも成長した子供で、首周りの筋肉が発達している（いわゆる、首が座っている）場合、着用者画像４１は、着用者が座っている状態の画像、又は、両手両足を用いた四つばい状態の画像とすることが好ましい。さらに、吸収性物品１が対象とする着用者が自らの足で起立可能な子供の場合、着用者画像４１は、着用者が起立している状態の画像とすることが好ましい。このように、パッケージ５では、吸収性物品１が対象とする着用者のサイズ識別できるように、人物表示領域４０に表示される画像を変更することが好ましい。
【００６８】
ここで、一般的に、人が特定の対象物を目視した場合、人は、特定の対象物の左側に意識を向けるため、特定の対象物の左側を認識し易い。本実施形態に係るパッケージ５によれば、着用者画像４１の顔画像４１ａが、パッケージ５の左右方向において、中心線ＷＣＬよりも左側に配置されているため、需要者（例えば、母親）に対して、吸収性物品１が対象としている着用者をより一層直感的に認識させることができる。
【００６９】
また、パッケージ５では、着用者の顔画像４１ａが、着用者の顔が笑った笑顔状態を表す画像である。かかるパッケージ５によれば、需要者に特定のイメージ（例えば、優しいイメージ）を連想させ易くするとともに、イメージを保持する効果も高い。その結果、パッケージ５を視認した需要者は、パッケージ５に包装された吸収性物品１を使いたいという欲求が高まる効果も高まると考えられている。このように、かかるパッケージ５によれば、吸収性物品１が対象としている着用者を直感的に認識させるだけでなく、購買意欲を向上させることも可能になる。
【００７０】
また、本実施形態では、顔画像４１ａにおける着用者の視線方向に沿った直線ＮＬと、パッケージ表面１０に垂直な法線ＮＬとのなす角度θは、３０度以下の範囲内である。ここで、人は、人物の顔画像を視認した際、顔画像の視線方向が自身に向けられているほど、顔画像４１ａに対して注意を向けたり、或いは、顔画像４１ａを記憶させたりすると考えられている。
【００７１】
また、需要者がパッケージ表面１０の法線ＮＬに沿った方向に距離Ａｄだけ離れた位置、かつ、パッケージ表面１０の法線ＮＬに沿った方向を中心とした幅Ａｗの範囲内であれば、パッケージ表面１０の顔画像４１ａを視認可能であると考えられる。なお、距離Ａｄは、例えば、１．７ｍであることが好ましく、幅Ａｗは、１ｍが好ましい。
【００７２】
このような点を考慮して、本実施形態では、着用者の視線方向に沿った直線ＥＬは、パッケージ表面１０の法線ＮＬから角度θｚ（＝ｔａｎ-1（Ａｗ／Ａｄ））の関係を満たすように３０度以下の範囲に設定されている。
【００７３】
このように、かかるパッケージ５によれば、視線方向に沿った直線ＥＬと法線ＮＬとのなす角度θが、３０度以下の範囲内とすることで、需要者がパッケージ表面１０の法線ＮＬに沿った方向に距離Ａｄだけ離れた位置、かつ、幅Ａｗの範囲内の位置からパッケージ表面１０を視認した際に、需要者に対して、顔画像４１ａに対する注意を向けさせる効果や、顔画像４１ａを記憶させる効果を高めることが可能になる。
【００７４】
よって、かかるパッケージ５によれば、需要者に特定のイメージ（例えば、優しいイメージ）を連想させ易くするとともに、イメージを保持する効果も高めることができる。すなわち、かかるパッケージ５によれば、需要者に対して、吸収性物品１が対象としている着用者を直感的に認識させるだけでなく、購買意欲を向上させることも可能になる。
【００７５】
また、本実施形態では、顔画像４１ａにおける着用者の顔方向と、顔画像４１ａにおける着用者の視線方向とは、対称関係を有していてもよい。このような構成においても、上述した視線方向に沿った直線と同様の効果を奏するため、需要者に対して、吸収性物品１が対象としている着用者を直感的に認識させるだけでなく、購買意欲を向上させることも可能になる。
【００７６】
ここで、本実施形態に係るパッケージ５では、顔画像４１ａにおける着用者の顔方向と、視線方向との両方が、考慮されている点に留意すべきである。
【００７７】
なお、顔方向と視線方向との一方のみを考慮してもよいが、両方を考慮することがより好ましい。これは、次の理由による。例えば、需要者に特定のイメージ（例えば、優しいイメージ）を連想させ易くする効果、注意を向けさせる効果、記憶させる効果、イメージを保持させる効果等は、顔方向と視線方向との両方が小さいほど効果を高くできると考えられている。すなわち、図７に示すように、顔画像４１ａにおける着用者の顔方向と視線方向との両方が、パッケージ平面１０に垂直な方向に向いていることが好ましい。
【００７８】
このように、本実施形態に係るパッケージ５によれば、顔方向と、視線方向との両方の関係を考慮することによって、需要者に対して、吸収性物品１が対象としている着用者を直感的に認識させるだけでなく、購買意欲を向上させることが可能になる。
【００７９】
［第２実施形態］
次に、本発明の第２実施形態について説明する。
【００８０】
上述した実施形態では、パッケージ表面１０は、第１側面１１である場合を例に挙げて説明したが、パッケージ表面１０は、第１側面１１と、第１側面１１に隣接する他の面とを含むように構成されていてもよい。具体的に、本実施形態では、パッケージ表面１０は、第１側面１１と第１頂面１５ａとを含む。
【００８１】
また、本実施形態では、図１乃至２に示すように、着用者画像４１は、第１側面１１に設けられており、補助者画像４２は、第１側面１１と、他の面とにわたって設けられている。具体的に、補助者画像４２は、第１側面１１と第１頂面１５ａとにわたって配置されている。
【００８２】
本実施形態に係るパッケージ５によれば、補助者画像４２が、第１側面１１と第１頂面１５ａ、すなわち、互いに直交する二つの面にわたって配置されているので、補助者画像４２を三次元的な表示が可能となる。また、補助者画像４２が、二つの面にわたって配置されているので、補助者画像４２の画像品質をより低くした場合であっても、補助者画像４２が補助者であることを識別可能な程度に表示できる。
【００８３】
[その他の実施形態]
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００８４】
例えば、上述した実施形態では、吸収性物品１が、新生児を着用者の対象としたものである場合を例に挙げて説明したが、乳児、幼児などのように様々な着用者を対象としたものであってもよい。
【００８５】
また、上述した実施形態では、パッケージ表面１０が、第１側面１１、或いは、第１側面１１と第１頂面１５ａとによって構成されている場合を例に挙げて説明したが、パッケージ表面１０は、第３側面１３、或いは、第３側面１３と第２頂面１５ｂとによって構成されていてもよい。すなわち、パッケージ表面１０は、六面体に形成されるパッケージ５における最も広い面を含むように構成されていればよい。
【００８６】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００８７】
１…吸収性物品、５…パッケージ、１０…パッケージ表面、１１…第１側面、１２…第２側面、１３…第３側面、１４…第４側面、１５…頂面、１５ａ…第１頂面、１５ｂ…第２頂面、１６…底面、１７…把手部、２５…取り出し部、３０…機能表示領域、３１乃至３２…文字表示領域、３３乃至３５…図形表示領域、４０…人物表示領域、４１…着用者画像、４１ａ…顔画像、４１ｂ…胴体画像、４２…補助者画像、５０…名称領域、５１０…パッケージ表面、５２０…商品名、５３１乃至５３４…機能表示領域、５４１…着用者画像、５４２…補助者画像、Ａ…角部、ＨＣＬ，ＷＣＬ…中心線、Ｐ３０…下端、Ｐ４０…下端、Ｆ１乃至Ｆ９…特徴点座標、Ｅｐ１…中心座標、Ｅｐ２…中心座標、Ｅｃ…中心座標、Ｅ…黒目画像、ＥＬ…直線、ＮＬ…直線
【図１】
0006017791.tif 000002
【図２】
0006017791.tif 000003
【図３】
0006017791.tif 000004
【図４】
0006017791.tif 000005
【図５】
0006017791.tif 000006
【図６】
0006017791.tif 000007
【図７】
0006017791.tif 000008
【図８】
0006017791.tif 000009